(57)【要約】【課題】被写体を透過した放射線を検知する放射線検知パネルと制御基板と電池とをカセッテ内に収容し、電池交換に際し取り外される電池交換用外装部材を有する放射線画像撮影装置であって、前記電池交換用外装部材が嵌合する外装部材の肉厚を増加させることなく、前記電池交換用外装部材を前記外装部材に確実に固定し、且つ、容易に固定を解除できるカセッテ型放射線画像撮影装置を実現すること。【解決手段】被写体を透過した放射線を検知する放射線検知パネルと制御基板と電池とをカセッテ内に収容した放射線画像撮影装置であって、前記カセッテを構成する外装部材のうちに、電気剥離性接着剤により固定され、前記電池交換時に固定が解除される電池交換用外装部材を有することを特徴とする放射線画像撮影装置。【選択図】図４
2009058733.tif 000002
【特許請求の範囲】
【請求項１】
被写体を透過した放射線を検知する放射線検知パネルと制御基板と電池とをカセッテ内に収容した放射線画像撮影装置であって、
前記カセッテを構成する外装部材のうちに、電気剥離性接着剤により固定され、前記電池交換時に固定が解除される電池交換用外装部材を有することを特徴とする放射線画像撮影装置。
【請求項２】
前記電池交換用外装部材、及び前記電池交換用外装部材を電気剥離性接着剤によって固定する部材は共に、導電性部材又は導電性部材が接合されている部材であって、両部材は対向する導電性を有する面にて電気剥離性接着剤にて接着されていることを特徴とする請求項１に記載の放射線画像撮影装置。
【請求項３】
電気剥離性接着剤にて接合されている二つの面にカセッテ外部から電圧を印加するための受電部を有することを特徴とする請求項１又は２に記載の放射線画像撮影装置。
【請求項４】
前記電池交換用外装部材は、電池と一体化されていることを特徴とする請求項１〜３のいずれか１項に記載の放射線画像撮影装置。
【発明の詳細な説明】
【技術分野】
【０００１】
本発明は、被写体を透過した放射線を検知して得たデジタル情報から放射線画像を得る放射線画像撮影装置に関する。
【背景技術】
【０００２】
Ｘ線画像に代表される放射線画像は、従来から病気診断、非破壊検査等に広く用いられているものである。
【０００３】
最近では、被写体を透過した放射線を、放射線検知パネルにより検知して、得られたデジタル情報から放射線画像を得る放射線撮影システムも多用されている。
【０００４】
カセッテ型放射線画像撮影装置とは、この放射線検知パネル、及び、それに関わる制御基板等を一つの薄い箱形の収容器（カセッテ）に収めた可搬型の射線画像撮影装置の呼称である。
【０００５】
前記カセッテ型放射線画像撮影装置は、撮影対象とする被写体のサイズに適合するように、複数のサイズのものが用意される。
【０００６】
このようなカセッテ型放射線画像撮影装置は、これを撮影室にある定置式の撮影装置に装填して行う通常の撮影以外に、撮影対象となる患者の状況に対応した場所で、且つ望ましい位置にカセッテ型放射線画像撮影装置を配置して行う撮影も可能となる。
【０００７】
例えば、カセッテ型放射線画像撮影装置を患者の下部に敷いたり、場合によっては患者をその上に立たせる場合もある。
【０００８】
しかしながら、このような使用の増加に伴い、カセッテ型放射線画像撮影装置を取扱中に床に落下させてしまうという不測の事態も増やしてしまう。
【０００９】
従って、カセッテ型放射線画像撮影装置のカセッテは、十分な強度を持ち、且つ、外部から加えられた衝撃が内容物にそのまま伝わらないような衝撃を吸収できる構造を持つ必要がある。
【００１０】
カセッテを構成する外装部材としては、被写体を透過して放射線検知パネルに到達する放射線を減衰させるものであってはならないことや、できる限り軽量化したいという要求から、炭素繊維樹脂やアルミニウム合金が採用されることが多い。
【００１１】
内部に収容される放射線検知パネルは、対象とする被写体に対応する規格化されたサイズであり、カセッテのサイズはカセッテが装填される装置との関係から予め決められている。
【００１２】
従って、カセッテの強度を増すために、単にカセッテを構成する外装の厚みを増加させると、外装部材と、衝撃に対して極めて弱い収容物である放射線検知パネルやそれに関わる電子部品との間に設ける空間を狭めることになる。
【００１３】
その結果、外装部材に加えられた衝撃がそのまま収容物に伝わる可能性が高くなり、収容物が損傷を受ける危険性が高まる。
【００１４】
また、外装部材の肉厚の増加は、カセッテ型放射線画像撮影装置の質量の増加となることから可搬性も低下させてしまう。
【００１５】
このような問題に対応するために、カセッテの内部に充填材を充填するという提案（例えば、特許文献１参照。）もある。
【００１６】
ところが、定期的に行うカセッテ内部の収容物の交換、あるいは故障時の点検修理に対応するために、カセッテは必要に応じ分割して開くことができる構造でなければならないし、充填材の様な作業に障害となる収容物は無いことが望ましい。
【００１７】
カセッテ内に電池を収納している場合には、その電池が外部からの電力供給によって充電可能なものであっても、充電特性の劣化に対応するための電池交換が必要となる。
【００１８】
電池交換を行う周期は、他の収容物の交換周期と一致しないことが多く、交換作業を容易に行うために、電池の出し入れを行う開口部を有する外装部材には電池交換用外装部材が設けられる（例えば、特許文献２参照。）。
【００１９】
このような電池交換のために取り外される電池交換用外装部材は、使用時にはネジ又は爪によってカセッテの他の部材に固定されている。
【００２０】
この電池交換用外装部材をネジや爪で確実に固定し、外部から加えられる衝撃に耐えられるようにするには、ネジや爪を受容する固定部には充分な厚みを持たせる必要がある。
【００２１】
特に、樹脂部材の場合には、充分な厚みが必要となり、結果として、外装部材、及びそれらを固定する部材の肉厚の増加を招き、上述したような問題の発生につながることもある。
【特許文献１】特開２００４−１８４６７９号公報
【特許文献２】特開２００６−２５０７２９号公報
【発明の開示】
【発明が解決しようとする課題】
【００２２】
本発明は、上述したような状況に鑑みてなされたもので、その目的は、被写体を透過した放射線を検知する放射線検知パネルと制御基板と電池とをカセッテ内に収容し、電池交換に際し取り外される電池交換用外装部材を有する放射線画像撮影装置であって、前記電池交換用外装部材が嵌合する外装部材の肉厚を増加させることなく、前記電池交換用外装部材を前記外装部材に確実に固定し、且つ、容易に固定を解除できるカセッテ型放射線画像撮影装置を実現することにある。
【課題を解決するための手段】
【００２３】
上記課題は、以下の発明を実現することにより達成される。
１．被写体を透過した放射線を検知する放射線検知パネルと制御基板と電池とをカセッテ内に収容した放射線画像撮影装置であって、
前記カセッテを構成する外装部材のうちに、電気剥離性接着剤により固定され、前記電池交換時に固定が解除される電池交換用外装部材を有することを特徴とする放射線画像撮影装置。
２．前記電池交換用外装部材、及び前記電池交換用外装部材を電気剥離性接着剤によって固定する部材は共に、導電性部材又は導電性部材が接合されている部材であって、両部材は対向する導電性を有する面にて電気剥離性接着剤にて接着されていることを特徴とする１項に記載の放射線画像撮影装置。
３．電気剥離性接着剤にて接合されている二つの面にカセッテ外部から電圧を印加するための受電部を有することを特徴とする１又は２項に記載の放射線画像撮影装置。
４．前記電池交換用外装部材は、電池と一体化されていることを特徴とする１〜３項のいずれか１項に記載の放射線画像撮影装置。
【発明の効果】
【００２４】
本発明により、カセッテを構成する外装部材の肉厚を増加させることなく、電池交換に際し取り外される電池交換用外装部材を前記外装部材に確実に固定することができ、また、必要に応じ容易に固定を解除できるカセッテ型放射線画像撮影装置が実現される。
【発明を実施するための最良の形態】
【００２５】
以下、本発明の実施の形態の例を、図を基にして説明する。
【００２６】
図１は、カセッテ型放射線画像撮影装置Ｄの外観図である。
【００２７】
図に示すように、本例のカセッテＫは２つの主な外装部材、即ち、上部外装部材５，下部外装部材６からなる。
【００２８】
上部外装部材５の一角には、表示装置Ｈと操作ボタンＥが設けられ、また、一つの側面には、電力供給を受けるための、及び外部装置との情報交換を行うための主コネクタＭＣが設けられている。
【００２９】
なお、図１には図示されていないが、下部外装部材６の下面には、電池の出し入れを行うための開口部と、その開口部と嵌合して固定される電池交換用外装部材がある。
【００３０】
図２は、カセッテ型放射線画像撮影装置Ｄの内部の構成を説明する概念図である。
【００３１】
カセッテＫの内部には、放射線検知パネル１、パネル支持板２、制御基板３、接続ケーブル４、電池Ｂ等が収容されている。
【００３２】
前記放射線検知パネル１は、蛍光体１１、光電変換部１２から構成される。
【００３３】
蛍光体１１は、図の矢印ａの方向から入射した放射線を受けて、受けた放射線の強さに応じた光を発するもので、樹脂板に蛍光体が塗布されたものである。
【００３４】
光電変換部１２は、光電変換素子をガラス板上に格子状に配列したもので、前記蛍光体１１の発光光を受光して電気信号に変換する。
【００３５】
光電変換部１２から出力された電気信号は、フレキシブル回路基板である接続ケーブル４を介して、制御基板３に送られ、制御基板３は、光電変換部１２から送られた電気信号を基に、撮影画像情報を生成する。
【００３６】
パネル支持板２は、前記放射線検知パネル１、前記制御基板３を支持するもので、前記放射線検知パネル１の平面性を維持するために必要な平面性と剛性を有している。
【００３７】
電池Ｂは、下部外装部材６に接合されている電池収容部材７２収められ、電池交換用外装部材７０により蓋がなされて固定される。なお、電池収容部材７２に収められた電池Ｂは、接点部（不図示）を介して前記制御基板３と電気的に接続される。
【００３８】
カセッテＫの上部外装部材５は、図の矢印ａの方向から進行してくる放射線が前記放射線検知パネル１に到達する際の遮蔽物となってはならない。
【００３９】
そのため、放射線の透過性が高く且つ強度に優れる材料、例えば、カーボン繊維入りの樹脂が採用される。
【００４０】
下部外装部材６は、支持部材２１、２３を介して前記放射線検知パネル１を支持しており、また、電池交換用外装部材７０は、衝撃により電池Ｂが外部に飛び出さないように電池Ｂを固定している。
【００４１】
これら下部外装部材６及び電池交換用外装部材７０も又、強度確保と軽量化の点から上部外装部材５と同じくカーボン繊維入りの樹脂が採用されることが多いが、放射線の透過性が高いことは要求されないことから、アルミニウム合金等の軽合金が採用されることもある。
【００４２】
カセッテＫを構成する前記上部外装部材５、と下部外装部材６とは、外から与えられた衝撃に対して、収容物を保護できなければならないし、また容易に分離してはならない。
【００４３】
ところが、定期的な保守作業、又は予期せぬ故障に対応する修理作業のためには、容易に分離することができるようにして、内部に収めた収容物を取り出せるようにしなければならないという要件も満たさなければならない。
【００４４】
特に、電池Ｂの交換は、他の収容物と交換時期が一致しないことが多いことから、その作業のために個別に取り外しができる電池交換用外装部材７０を設けることが望ましい。
【００４５】
このような目的で設けられた電池交換用外装部材７０は、強度と共に、必要に応じ確実な固定ができ、且つ、容易な取り外しができるという要件を満足する必要がある。
【００４６】
一般には、このような要件に対応するために、電池交換用外装部材７０はネジにて固定される。
【００４７】
図３は、ネジにて固定された電池交換用外装部材７０の接合部の例である。
【００４８】
接合に使用されるネジはＩＳＯ規格Ｍ２乃至Ｍ３程度のネジを使用するが、繰り返し行われるネジ９１の取り外しに耐えられるように、またネジ９１を介して加えられる衝撃に耐えられるように、下部外装部材６に設けられたネジ受け部Ａ、及びネジ受け部Ａを保持する下部外装部材６には、充分な肉厚Ｗ１、２、４、５を持たせる必要がある。
【００４９】
また、電池交換用外装部材７０の下面よりネジ頭が飛び出すことは、使用面での不都合をもたらすことから、電池交換用外装部材７０のネジ止め部の肉厚Ｗ３をあまり厚くすることはできないという条件が、電池交換用外装部材７０に強度上の問題を与える場合もある。
【００５０】
特に、樹脂製の外装部材にネジ溝が切られる場合には、外装部材の取り外しに際しネジ山が破損しないようにより太めのネジを使用することが望ましいことから、ネジ止め位置Ａの肉厚Ｗ１、２はより大きくする必要がある。
【００５１】
さらに、ネジのサイズのを大きくすることは、肉厚Ｗ３の厚みと電池交換用外装部材７０の厚みを上げなければならないという問題につながる。
【００５２】
ところが、放射線検知パネル１の面寸法、及びカセッテＫの外形寸法は、撮影画像サイズ及びカセッテを装填する装置との関係により、規格によって予め所定の寸法に決められてので、ネジ止め位置の肉厚を増加させることは、カセッテの外装部材と放射線検知パネル１をはじめとする収容物との間隙を狭めてしてしまうことになる。
【００５３】
この間隙の減少は、カセッテＫに加えられた衝撃が放射線検知パネル１に伝わらないようにする衝撃吸収を困難にする。
【００５４】
ネジ止めにかかわる外装部材の肉厚の増加を避けるために、ネジを使用せずに電池交換用外装部材７０と下部外装部材６を嵌め合いにより接合することも考えられるが、衝撃に対して外れる危険性が高くなり所望の信頼性が得られないことが多い。
【００５５】
本発明は、電気剥離性接着剤により電池交換用外装部材７０を下部外装部材６に接合することによって、接合部の肉厚を厚くすることなく電池Ｂの固定を確実に行い、且つ、必要に応じ容易に固定を解除して電池交換用外装部材７０を下部外装部材６から取り外すようにするものである。
【００５６】
図４は、電池交換用外装部材７０を下部外装部材６に電気剥離性接着剤によって接合した接合部を説明する図である。
【００５７】
電池交換用外装部材７０の接合面Ｓ４には、板状の導電性部材７１が接着剤にて固定されており、下部外装部材６の接合面Ｓ１には、板状の導電性部材６１が接着剤にて固定されている。
【００５８】
前記導電性部材７１と前記導電性部材６１とは対向して配置され、図の斜線で示す電気剥離性接着剤Ｐにより接合されている。
【００５９】
なお、面Ｓ１、面Ｓ４における導電性部材と外装部材との接合は、分離できない接合であり、接着剤による接合に限定されるものではなく、ピン等による機械的な接合でも良い。
【００６０】
また、本実施の形態においては、電池交換用外装部材７０及び下部外装部材６は、共に非導電性部材であるが、一方の部材をアルミニウム合金等の導電性部材とし、該部材に接着される導電性部材を省略することができる。
【００６１】
電池交換用外装部材７０と下部外装部材６の接合は、電池交換用外装部材７０に接合された導電性部材７１の面Ｓ３及び下部外装部材６に接合された導電性部材６１の面Ｓ２に電気剥離性接着剤Ｂを塗布した後、これら導電体の面を前記電気剥離性接着剤Ｂを介して接合することにより実現される。
【００６２】
実際には、電気剥離性接着剤が硬化して十分な接着強度を発揮するまでに時間がかかることもあり、電池交換用外装部材７０と下部外装部材６とを治具等で長時間固定しなければならない場合もある。
【００６３】
このような場合には、導電性部材６１と導電性部材７１とを予め面Ｓ２、３で電気剥離性接着剤で接合した部材を用意しておき、接合した前記部材を介して、電池交換用外装部材７０と下部外装部材６を面Ｓ１、４にて瞬間接着剤等で接合するようにしても良い。
【００６４】
上述の方法により、電気剥離性接着剤の硬化速度の制限を受けることなく、カセッテ型放射線撮影装置の生産性を高め、接合の信頼性を向上させることができる。
【００６５】
図５は、電気剥離性接着剤による接合と分離を説明する図である。
【００６６】
導電性部材６１および導電性部材７１は、図中斜線部で示す電気剥離性接着剤によって接合されている。
【００６７】
図５（ａ）に示した面Ｓ２、３で接合状態にある導電性部材６１と導電性部材７１の間に、点線で示すような電圧を印加すると、二つの部材は、図５（ｂ）に示すように電気剥離性接着剤の＋側の面（本例では面Ｓ３）で分離する。
【００６８】
なお、上述の電気剥離性接着剤は、市販されている公知の電気剥離性接着剤（例えば、商品名エレクトリリース、太陽金網株式会社）を使用することができる。また、印加する電圧、印加時間は実験により決定される。
【００６９】
図６は、下部外装部材６に設けられた開口部と電池Ｄと電池交換用外装部材７０の配置関係を示す図である。
【００７０】
電池Ｂは、下部外装部材６に設けられた開口部から、図２及び図６に示す様な下部外装部材６又はパネル支持板２に固定される電池収容部材７２に収めるようにしてもよいが、電池交換用外装部材７０と電池とを一体化してもよい。
【００７１】
これは、カセッテ内に収容されている他の電子部品に比較して質量が大きい電池Ｂの支持を、電池交換用外装部材７０にて行うもので、電池Ｂに加えられた衝撃の他の収容物への伝達を減少させる効果をもたらす。
【００７２】
電池交換用外装部材７０と電池とをどの様に一体化するかは、設計時に決定されるものである。
【００７３】
以上、説明したように、電気剥離性接着剤による電池交換用外装部材７０と、下部外装部材６との接合は、ネジによる接合に比較して、接合の信頼性を維持しつつ外装部材の肉厚を少なくすることができる。
【００７４】
また、互いに接合されている電池交換用外装部材７０と、下部外装部材６とを必要に応じて分離したいという要求にも対応することができる。
【００７５】
図７は、電池交換用外装部材７０とに接合された導電性部材７１と、下部外装部材６に接合された導電性部材６１との間に外部から印加される電圧を受ける受電部を示す図である。
【００７６】
受電部は、電圧印加用のプラグを受容する受電用の二つの穴Ｒ１、２を有するコンセントである。
【００７７】
コンセントの穴Ｒ１はプラグの端子の一つを電池交換用外装部材７０に接合されている導電性部材７１に電気的に接続するものであり、他方の穴Ｒ２は下部外装部材６に接合された導電性部材６１にプラグの端子を電気的に接続するものである。
【００７８】
なお、電源供給用のプラグの端子は、その一つが導電性部材６１又は７１のいずれか一方にのみ接触するように構成される。
【００７９】
また、受電手段が使用されない時にコンセントを外界から電気的に遮断するために、前記受電用のコンセントに挿入可能な遮断部材７３を設けても良い。
【００８０】
この遮断部材７３を設けることにより、コンセントへの誤った電圧の印加が防止され、電池交換用外装部材７０と下部外装部材６の予期せぬ分離が防止される。
【図面の簡単な説明】
【００８１】
【図１】カセッテ型放射線画像撮影装置の外観図である。
【図２】カセッテ型放射線画像撮影装置の内部の構成を説明する概念図である。
【図３】ネジにて固定された電池交換用外装部材の接合部の例である。
【図４】電池交換用外装部材を下部外装部材に電気剥離性接着剤によって接合した接合部を説明する図である。
【図５】電気剥離性接着剤による接合と分離を説明する図である。
【図６】開口部と電池と電池交換用外装部材の配置関係を示す図である。
【図７】外部から印加される電圧を受ける受電部を示す図である。
【符号の説明】
【００８２】
７０  電池交換用外装部材
Ｂ  電池
Ｄ  カセッテ型放射線画像撮影装置
Ｋ  カセッテ
Ｐ  電気剥離性接着剤
【図１】
2009058733.tif 000003
【図２】
2009058733.tif 000004
【図３】
2009058733.tif 000005
【図４】
2009058733.tif 000006
【図５】
2009058733.tif 000007
【図６】
2009058733.tif 000008
【図７】
2009058733.tif 000009